(57)【要約】【課題】容器内部の内容物の冷却用媒体による低温保持のむらが低減され、かつ下側の内容物のつぶれを防止できる断熱容器を提供する。【解決手段】容器は本体部１１と蓋部１２とから構成され、発泡樹脂板２３を内包する袋状のシート材２１が箱状に組み立てられている。シート材２１の容器内部側にはアルミ蒸着フィルム２２が設けられている。冷却用媒体を収納可能な複数の断熱性のポケット３０が容器内部に配設されていて、複数の方向から容器内の内容物を冷却する。ネット部４１とそのネット部の中間部分に配置されたプレート４２とからなる１個以上の間仕切り部材４０が、本体部１１の対向する上縁部近傍から容器内部に取り外し可能に懸垂されているので、冷却用媒体の冷気が容器内部の内容物に広く接触して内容物の温度上昇を抑制するとともに内容物のつぶれが防止できる。【選択図】図４
2007276817.tif 000002
【特許請求の範囲】
【請求項１】
内容物を低温に保持する断熱容器であって、
発泡樹脂板を内包する袋状のシートが箱状に組み立てられていて、蓋部と本体部とからなる容器と、
前記容器の内部に配設され、冷却用媒体を収納可能な断熱性のポケットと、
ネット部と該ネット部の中間部分に配置されたプレートとからなり、前記本体部の対向する上縁部近傍から該容器内部に取り外し可能に懸垂される１個以上の間仕切り部材と、を有することを特徴とする断熱容器。
【請求項２】
前記ポケットは前記本体部の側壁と前記蓋部の下面とに、それぞれ１箇所以上設けられている、請求項１に記載の断熱容器。
【請求項３】
前記ポケットは、前記本体部の側壁の前記間仕切り部材の前記プレートに対応する位置の上下にそれぞれ１箇所以上設けられている、請求項２に記載の断熱容器。
【請求項４】
前記ポケットは、アルミ蒸着フィルムを含む断熱性積層シートを縫製して形成されている、請求項１から請求項３のいずれか１項に記載の断熱容器。
【請求項５】
前記ポケットに収納される前記冷却用媒体は蓄冷材およびドライアイスのいずれかである、請求項１から請求項４のいずれか１項に記載の断熱容器。
【請求項６】
前記間仕切り部材の両端は、前記本体部の上縁近傍に面ファスナーで係着される、請求項１に記載の断熱容器。
【請求項７】
前記容器を構成する前記シートの該容器の内部となる面はアルミ蒸着フィルムで構成されている、請求項１に記載の断熱容器。
【請求項８】
前記内容物が青果物である、請求項１に記載の断熱容器。
【発明の詳細な説明】
【技術分野】
【０００１】
本発明は断熱容器に関し、特に冷却用媒体収納ポケットと上下の間仕切り部材とを有する断熱容器に関する。
【背景技術】
【０００２】
青果物や食品などの流通においては低温流通が求められるものも多い。出荷・受入地点に低温倉庫を有し冷凍車や短時間保冷車で輸送される場合には格納容器としては通常のダンボール箱でもよいが、通常の輸送車両や長時間保冷車で輸送される場合には品質保持のために断熱容器に収納して輸送することが望ましい。長時間の輸送の場合には断熱容器内に保持温度に対応して蓄冷材やドライアイスなどの冷却用媒体を入れることが行われている。
【０００３】
特許文献１には、断熱効果が大きく、空になったときには容易に小型に収納することができる折りたたみ式断熱容器が開示されている。この断熱容器では底布、左右の脇布、前布、後布、後布から延出する掩蓋片からなる外袋と、外袋の底に嵌合する底剛性板、底剛性板の両端から延出し中央部で上下に折りたたむことができる脇剛性板からなる支持体とを有し、前布と後布に剛性板が固定され、剛性板は微細な独立気泡からなる折り曲げ不可能なプラスチック発泡体である。下方の内容物が押し潰されるおそれがある場合には両側の脇剛性板の上方に鉤を設け、両側の鉤からネットを吊り下げネットの中央部に仕切り板を載せてもよいとしている。
【０００４】
特許文献２には、保冷容器の蓋体の裏面に複数の蓄冷材を着脱可能に保持するロックレバーが設けられ、蓋体の内面とロックレバーとで蓄冷材を押圧保持する保冷容器が開示されている。
【０００５】
特許文献３には、蓋体の裏面に裏面より凹んだ状態で嵌合面部を設け、蓄冷剤を封入した中空成形体から形成された蓄冷材の外周に嵌合面部を設け、蓋体の裏面に蓄冷材を着脱自在に装着する保冷容器が開示されている。
【０００６】
特許文献４には、容器全体を二重壁構造としその二重壁構造の壁の内部に蓄冷材を充填した保冷容器が開示されている。
【特許文献１】特開２００３−２０５９３９号公報
【特許文献２】特開２００１−８０６７８号公報
【特許文献３】実開平５−３４１７１号公報
【特許文献４】実開平５−６８８７７号公報
【発明の開示】
【発明が解決しようとする課題】
【０００７】
特許文献１に開示されているような折りたたみ可能な保冷容器については多くの特許文献が開示されているが、例えば野菜のような比較的安価な内容物の低温流通においては保冷容器のコストの低減が求められ、産地と消費地との間の往復で使用頻度が高い場合などには折りたたみ・組み立ての手間の問題もあって折りたたみ機能を持たない保冷容器が使用されることが多い。
【０００８】
青果物などの輸送では生産地や消費地における低温流通設備にも差があり、輸送時間にも長短があり、輸送手段においてもコストの問題から保冷車以外の輸送車両が使用されることが多いので、保冷容器自体が冷却機能を有することが望まれる。特許文献１の保冷容器には冷却機能が設けられていない。冷却の手段としては蓄冷材を使用することが容易であり、かつコストも低い。特許文献２〜４には蓄冷材が収納される保冷容器が開示されている。蓄冷材は連続使用時間を長くするために通常使用前に望ましい保冷温度より相当程度低温に冷却される。このため蓄冷材が直接内容物に接触すると青果物などの内容物に低温障害が発生する恐れがあるので、特許文献２、３では蓋部に蓄冷材の収納部を設けて内容物との接触を避けている。冷気は下降するので蓄冷材による冷気も内容物に向けて下降するが、内容物の間に適当の隙間が連続していないと冷気が行き渡らず、生きている青果物の場合は呼吸熱を発生するので部分的に温度が上昇するおそれがある。特許文献４では容器全体の二重壁の内部に蓄冷材が充填されているのでその問題は解決できるが、蓄冷材が充填されている容器全体をあらかじめ初期温度まで冷却する必要があり、大きな冷却設備を必要とするという問題がある。
【０００９】
本発明の目的は、容器内部の内容物の冷却用媒体による低温保持のむらが低減され、かつ下側の内容物のつぶれを防止できる断熱容器を提供することにある。
【課題を解決するための手段】
【００１０】
本発明の断熱容器は、
内容物を低温に保持する断熱容器であって、発泡樹脂板を内包する袋状のシートが箱状に組み立てられていて、蓋部と本体部とからなる容器と、容器の内部に配設され、冷却用媒体を収納可能な断熱性のポケットと、ネット部とそのネット部の中間部分に配置されたプレートとからなり、本体部の対向する上縁部近傍からその容器内部に取り外し可能に懸垂される１個以上の間仕切り部材とを有することを特徴とする。
【００１１】
ポケットは、本体部の側壁と蓋部の下面とに、それぞれ１箇所以上設けられていてもよく、本体部の側壁の間仕切り部材のプレートに対応する位置の上下にそれぞれ１箇所以上設けられていてもよく、アルミ蒸着フィルムを含む断熱性積層シートを縫製して形成されていてもよい。
【００１２】
ポケットに収納される冷却用媒体は蓄冷材およびドライアイスのいずれかであってもよく、間仕切り部材の両端は、本体部の上縁近傍に面ファスナで係着されていてもよく、容器を構成するシートのその容器の内部となる面はアルミ蒸着フィルムで構成されていてもよく、内容物が青果物であってもよい。
【００１３】
冷却用媒体を収納可能な複数の断熱性のポケットが容器内部に配設され、ネット部とそのネット部の中間部分に配置されたプレートとからなる１個以上の間仕切り部材が、本体部の対向する上縁部近傍から容器内部に取り外し可能に懸垂されているので、冷却用媒体の冷気が容器内部の内容物に広く接触して内容物の温度上昇を抑制するとともに下側の内容物のつぶれが防止できる。
【発明の効果】
【００１４】
本発明は、冷却用媒体を収納可能な複数の断熱性のポケットが容器内部に配設され、ネット部とそのネット部の中間部分に配置されたプレートとからなる１個以上の間仕切り部材が、本体部の対向する上縁部近傍から容器内部に取り外し可能に懸垂されているので、冷気の発生源が容器内に分散され、冷気の通路が確保されるので冷却用媒体の冷気が容器内部の内容物に広く接触し、内容物の温度上昇を比較的均等に抑制するという効果がある。
【００１５】
また、間仕切り部材によって上部からの圧力が軽減されるので、下側の内容物の損傷が低減できるという効果がある。
【００１６】
さらに、冷却用媒体として蓄冷材を用いればチルド流通品や青果物などの低温流通に使用でき、ドライアイスを用いれば冷凍食品の凍結流通用として使用できるなど広い温度範囲で利用できるという効果がある。
【発明を実施するための最良の形態】
【００１７】
次に、本発明の実施の形態について図面を参照して説明する。図１は本発明の実施の形態の断熱容器の蓋部を開いて間仕切り部材を取り外した状態の模式的斜視図である。図２は本発明の実施の形態の断熱容器の蓋部を開いて間仕切り部材を取り付けた状態の模式的斜視図である。図３は本発明の実施の形態の断熱容器の蓋部を閉じた状態の模式的斜視図である。図４は図３のＡ−Ａ断面の断面図である。
【００１８】
本発明の実施の形態の断熱容器１は、本体部１１と本体部１１の上部の一辺に開閉可能にシート材２１で接続された蓋部１２とを有する。本体部１１と蓋部１２とは、袋状に縫製されたシート材２１と内部に挿入された板状の発泡樹脂板２３をシート材２１で連接して形成される。断熱容器１の内部となる部分のシート材２１の表面はアルミ蒸着フィルム２２となっている。蓋部１２は閉じたときに本体部１１の上面の外縁に整合するが、蓋部１２に挿入されている発泡樹脂板２３は本体部１１の上面の開口部に整合する。アルミ蒸着フィルム２２は内部の低温を反射するためのものであるが、必ずしも設けられなくてもよい。
【００１９】
蓋部１２の本体部１１と接続されている辺と反対側の辺にはシート材２１からなるフラップ１３が形成されてフラップ１３の内側面には面ファスナ１５が設けられている。その面ファスナ１５は蓋部１２を本体部１１に閉じたときに、本体部１１の側面に設けられた面ファスナ１５と係合して蓋部１２を本体部１１に固定する。
【００２０】
本体部１１の蓋部１２取付け部の左右両側となる外側の上辺には、フラップ１３が形成されており、このフラップ１３の先端部近傍の内側には面ファスナ１５が設けられ、蓋部１２を本体部１１に閉じたときに、蓋部１２上面に設けられている不図示の面ファスナと係合して本体部１１と蓋部１２とを固定するとともに、外気の容器内部への侵入と、内部の冷気の外部への放出を防ぐことができる。
【００２１】
以上、望ましい断熱容器の形態として本発明の実施の形態の断熱容器１の構成について説明したが、本発明の断熱容器はこの構成に限定されるものではなく、発泡樹脂板を内包する袋状のシートが箱状に組み立てられていて、蓋部と本体部とからなる容器であり、以下で説明する冷却用媒体収納ポケット３０と間仕切り部材４０とが取り付けられる構成であれば、冷却用媒体収納ポケット３０と間仕切り部材４０とを取り付けて本発明の断熱容器とすることができる。可能であれば折り畳み可能となっていてもよい。
【００２２】
次に、本発明の断熱容器の特徴である冷却用媒体収納ポケット３０と間仕切り部材４０とについて詳細に説明する。冷却用媒体収納ポケット３０（第１のポケット３０ａ、第２のポケット３０ｂ、第３のポケット３０ｃ）は冷却用媒体を格納するポケットであり、本実施の形態では、蓋部１２の下面に第１のポケット３０ａが１箇所と、本体部１１の片方の側面の低い位置に第２のポケット３０ｂ、対向する側面の高い位置に第３のポケット３０ｃの２箇所の計３組が設けられている。この取付け位置はこれに限定されるものではなく２個以上設けられればよい。蓋部１２の下面には少なくとも１箇所設けることが望ましいが、本体部１１の側面には同じ場所の上下に２個設けてもよいし、本体部１１の幅の狭いほうの側面に設けてもよく、小型の蓄熱材を用意して小型のポケットとしてもよい。
【００２３】
冷却用媒体収納ポケット３０は、冷却用媒体が取り出し可能に収納できるポケット本体３１と、開閉可能で閉じたときに面ファスナ等でポケット本体に固定できるポケット蓋３２とを有する。冷却用媒体収納ポケット３０は側面およびまたは底面を除いて断熱性積層シートが縫製されて形成され、側面側面およびまたは底面には通気ネット３３が設けられている。この実施の形態では、冷却用媒体収納ポケット３０の断熱容器１の内部側に面する断熱性積層シートの表面にアルミ蒸着フィルムが設けられることとしているが、なくてもよい。断熱容器１の内面とは縫着されていても、面ファスナ等で取り外し可能に取り付けられていてもよい。面ファスナを用いる場合は、断熱容器１の内部の多くの箇所に面ファスナを設け、内容物の状態に応じて適当な場所に冷却用媒体収納ポケット３０を取り付けることができる。内容物と接触する面は断熱性積層シートとなっているので、内容物に冷却用媒体の温度が直接には伝わりにくく、内容物が青果物の場合、青果物の低温障害を防止することができる。冷気は側面およびまたは底面の通気ネット３３を通って容器の内部に放出される。冷却用媒体として蓄冷材を用いればチルド流通品や青果物などの低温流通に使用でき、ドライアイスを用いれば冷凍食品の凍結流通用として使用でき、広い温度範囲で使用できる。いずれの場合も冷却用媒体はポケット本体３１に収納できる大きさに成形されている。
【００２４】
間仕切り部材４０は、長方形のネット部４１とネット部４１の中央に配置されたプレート部４２とを有し、ネット部４１の長手方向の両端には本体部１１の上縁部に設けられた面ファスナ４３と係合する面ファスナ４３が設けられている。ここでは面ファスナ４３を用いているが、例えばフックを用いて懸垂してもよい。ネット部４１は通気性と柔軟性があってプレート部４２にかかる上の内容部の重量を保持できる材料であれば特に限定されない。プレート部４２は容器の中で上部の内容物を支持できる大きさで、結露の問題からは樹脂製が望ましい。また、上下の冷気の流通のためにプレート部４２に通気口が設けられていることが望ましい。実施の形態では間仕切り部材４０は１個となっているが、ネット部４１の長さの異なる複数の間仕切り部材４０を用いて上下に複数の間仕切りを設けてもよい。それによって冷気の水平方向の流路も増加し、内容物に掛かる上からの加重も軽減される。
【００２５】
低温流通で比率の大きな青果物、特にレタス、小松菜、ほうれんそうなどの葉物野菜では上述のように呼吸熱による蒸れによって生ずる品質低下が大きく、内部まで冷気を循環させることが望ましい。そのために蓄冷材の配置場所を広げるとともに間仕切り部材４０を設けることで内部までの冷気の循環が促進される。
【００２６】
さらに、これらの葉物野菜は殆どパッケージされていないので、断熱容器の下側の野菜は上の野菜の重みの影響を受けて押しつぶされる形となり品質が低下する可能性が大きい。間仕切り部材４０を設けることで冷却効果が上がるとともに、上からの重量による品質低下も防止することができるという両面の効果がある。
【００２７】
次に、本実施の形態の断熱容器の使用方法について説明する。先ず、内容物の出荷地に冷却用媒体収納ポケットを有する断熱容器１と、間仕切り部材４０、冷却用媒体を準備する。間仕切り部材４０は断熱容器１に収納された状態であってもよく、冷却用媒体が蓄冷材４４の場合は冷却用媒体収納ポケットに収納された状態でもよい。冷却用媒体が蓄冷材４４の場合、出荷予定時間に所定の低温となるように事前に冷却する。
【００２８】
内容物の収納時間になると、断熱容器１の蓋部１２を開いて、低温輸送の場合は冷却済の蓄熱材を、凍結輸送の場合はドライアイスを所定の冷却用媒体収納ポケット３０に収納し、内容物を１段目の所定の高さまで収納する。次に、間仕切り部材４０の両端の面ファスナ４３を本体部１１の上縁の面ファスナ４３に係合させ、内容物をそのプレート部４２の上に所定の高さまで収納する。複数の間仕切り部材４０を使用する場合には、この作業を繰り返す。
【００２９】
内容物の収納が終わると蓋部１２を閉じて、フラップ１３の面ファスナ１５を本体部１１の面ファスナ１５と係合させる。次いで左右のフラップ１３を蓋部１２の上に畳んで面ファスナ１５を蓋部１２の面ファスナに係合さる。移動は本体部１１の側面に設けられた取っ手１４を持って行ってもよい。
【００３０】
到着地の荷卸場では、断熱容器１を輸送手段から荷捌き場に下ろし、蓋部１２を開いて内容物を取り出し、取り外した間仕切り部材４０を本体部１１内に戻し、蓋部１２を閉じて次の出荷地へ輸送手段で輸送して次の内容物の収納に備える。青果物などの場合は内容物が収納された状態で小売店、あるいは加工工場まで輸送してもよい。それによって、よりよい鮮度保持を行うことができる。
【図面の簡単な説明】
【００３１】
【図１】本発明の実施の形態の断熱容器の蓋部を開いて間仕切り部材を取り外した状態の模式的斜視図である。
【図２】本発明の実施の形態の断熱容器の蓋部を開いて間仕切り部材を取り付けた状態の模式的斜視図である。
【図３】本発明の実施の形態の断熱容器の蓋部を閉じた状態の模式的斜視図である。
【図４】図３のＡ−Ａ断面の断面図である。
【符号の説明】
【００３２】
１    断熱容器
１１    本体部
１２    蓋部
１３    フラップ
１４    取っ手
１５    面ファスナ
２１    シート材
２２    アルミ蒸着フィルム
２３    発泡樹脂板
３０    冷却用媒体収納ポケット
３０ａ    第１のポケット
３０ｂ    第２のポケット
３０ｃ    第３のポケット
３１    ポケット本体
３２    ポケット蓋
３３    通気ネット
４０    間仕切り部材
４１    ネット部
４２    プレート部
４３    面ファスナ
４４    蓄冷材
【図１】
2007276817.tif 000003
【図２】
2007276817.tif 000004
【図３】
2007276817.tif 000005
【図４】
2007276817.tif 000006